【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
プログラムされたコンピュータによってコンテンツの自動収集を実施する方法であって、
コンテンツプロバイダからのソフトウェア製品に関連する文書の自動収集のためのコンテンツ収集イベントを開始するステップと、
前記コンテンツ収集イベントに適用される契約条項と一緒に前記コンテンツプロバイダにプロンプトを出すステップと、
前記コンテンツプロバイダから前記文書を受け取るステップと、
永久アーカイバルストレージに前記文書と共に前記契約条項を自動的に保管するステップとを含むことを特徴とコンピュータで実施される方法。
【請求項２】
前記文書を広域ネットワークを介して入手可能にするために前記文書をコンテンツサーバにパブリッシュするパブリッシングプロセスを自動的に開始するステップをさらに含むことを特徴とする請求項１に記載のコンピュータで実施される方法。
【請求項３】
前記コンテンツ収集イベントを開始するステップは、ホストウェブポータルとリモートデバイスとの間でセッションを開始する要求を受け取るステップを含み、前記リモートデバイスは、前記コンテンツプロバイダの制御下にあることを特徴とする請求項１に記載のコンピュータで実施される方法。
【請求項４】
前記ウェブポータルは、前記ソフトウェア製品の開発に関する情報をダウンロードのために使用可能にすることを特徴とする請求項３に記載のコンピュータで実施される方法。
【請求項５】
ダウンロードのために使用可能な前記情報は、前記ソフトウェア製品の開発に関する頻繁に尋ねられる質問に対する回答を含むことを特徴とする請求項４に記載のコンピュータで実施される方法。
【請求項６】
ダウンロードのために使用可能な前記情報は、前記ソフトウェア製品の開発を助ける、文書および他のプログラミングツールを伴う開発者用キットを含むことを特徴とする請求項４に記載のコンピュータで実施される方法。
【請求項７】
前記ソフトウェア製品は、ソフトウェアアプリケーションのプロダクトスイートを含むことを特徴とする請求項４に記載のコンピュータで実施される方法。
【請求項８】
前記文書は、前記ソフトウェア製品と共に使用するように構成されたテンプレートを含むことを特徴とする請求項１に記載のコンピュータで実施される方法。
【請求項９】
前記文書は、最初に前記ソフトウェア製品に含まれなかった機能性を使用可能にするために前記ソフトウェア製品により費やされるコンテンツを含むことを特徴とする請求項１に記載のコンピュータで実施される方法。
【請求項１０】
請求項１に記載のコンピュータで実施される前記各ステップに対応するコンピュータ実行可能命令を記録したことを特徴とするコンピュータ読み取り可能な記録媒体。
【請求項１１】
コンピュータにコンテンツ収集を実行させるためのコンピュータ実行可能命令を記録したコンピュータ読み取り可能な記録媒体であって、該命令は、
コンテンツプロバイダとウェブポータルとの間のセッションの開始に応答して、前記コンテンツ収集に適用される契約条項と一緒に前記コンテンツプロバイダにプロンプトを出すステップと、
前記契約条項の受け入れに応答して、前記コンテンツプロバイダから前記コンテンツを受け取るステップと、
前記コンテンツおよび前記契約条項を永久アーカイバルストレージに保管するステップと、
前記コンテンツを広域ネットワークを介して使用可能にするパブリッシングプロセスを開始するステップと
含むことを特徴とするコンピュータ読み取り可能な記録媒体。
【請求項１２】
前記セッションは、前記コンテンツプロバイダと前記ウェブポータルとの間のグローバルエリアネットワークを介する通信セッションを含むことを特徴とする請求項１１に記載のコンピュータ読み取り可能な記録媒体。
【請求項１３】
前記コンテンツは、ソフトウェア製品に関係する文書を含むことを特徴とする請求項１１に記載のコンピュータ読み取り可能な記録媒体。
【請求項１４】
前記契約条項は、前記コンテンツプロバイダのオペレータおよび前記ソフトウェア製品のデベロッパのそれぞれの権利および義務を左右する条件の組を含むことを特徴とする請求項１３に記載のコンピュータ読み取り可能な記録媒体。
【請求項１５】
前記文書は、テンプレート、フォーム、クリップアートイメージ、およびテキストのヘルプ情報からなる群のうちの選択された１つまたは複数を含むことを特徴とする請求項１３に記載のコンピュータ読み取り可能な記録媒体。
【請求項１６】
前記パブリッシングプロセスは、人が前記コンテンツを評価する人間の介入部分を含むことを特徴とする請求項１１に記載のコンピュータ読み取り可能な記録媒体。
【請求項１７】
前記人は、前記コンテンツをコンテンツサーバへのパブリッシュの形にするために前記コンテンツを変更することを特徴とする請求項１６に記載のコンピュータ読み取り可能な記録媒体。
【請求項１８】
前記パブリッシングプロセスは、前記コンテンツがコンテンツサーバにパブリッシュされるパブリッシング部分を含み、前記コンテンツサーバで、前記コンテンツが、前記広域ネットワークを介するアクセスのために使用可能にされることを特徴とする請求項１１に記載のコンピュータ読み取り可能な記録媒体。
【請求項１９】
コンテンツ収集のためのコンピュータで実行されるコンポーネントが符号化されて記録されたコンピュータ読み取り可能な記録媒体であって、前記コンポーネントは、
ダウンロードエリアおよびアップロードエリアを含むウェブポータルであって、前記ダウンロードエリアは、ソフトウェア製品の開発に関係する情報を含み、前記アップロードエリアは、コンテンツプロバイダから文書を受け取るように構成されている、ウェブポータルと、
前記ウェブポータルから前記文書を受け取り、前記文書および前記コンテンツ収集に関連するその時最新の契約条項を同時にアーカイブに保管するように動作するプロセスマネージャを含むバックエンドサーバであって、前記プロセスマネージャは、さらに、パブリッシングプロセスを開始するように動作する、バックエンドサーバと
を含むことを特徴とするコンピュータ読み取り可能な記録媒体。
【請求項２０】
前記文書は、前記ソフトウェア製品と共に使用されるように構成されたテンプレートを含むことを特徴とする請求項１９に記載のコンピュータ読み取り可能な記録媒体。
【請求項２１】
前記文書は、最初に前記ソフトウェア製品に含まれなかった機能性を使用可能にするために前記ソフトウェア製品によって費されるコンテンツを含むことを特徴とする請求項１９に記載のコンピュータ読み取り可能な記録媒体。
【請求項２２】
ダウンロードに使用可能な前記情報は、前記ソフトウェア製品の開発を助ける、文書および他のプログラミングツールを伴う開発者用キットを含むことを特徴とする請求項１９に記載のコンピュータ読み取り可能な記録媒体。
【請求項２３】
前記バックエンドサーバは、さらに、永久アーカイバルストレージ機構を含むことを特徴とする請求項１９に記載のコンピュータ読み取り可能な記録媒体。
【請求項２４】
前記アップロードエリアは、さらに、前記コンテンツプロバイダからメタデータを受け取るように構成されたサブミッションを含み、前記メタデータは、前記文書を記述する情報を含むことを特徴とする請求項１９に記載のコンピュータ読み取り可能な記録媒体。
【請求項２５】
前記メタデータは、さらに、コンテンツプロバイダを記述する情報を含むことを特徴とする請求項２４に記載のコンピュータ読み取り可能な記録媒体。